(57)【要約】【課題】現在選択されている撮影モードを容易に認識することができる撮像装置を提供する。【解決手段】複数の撮影モードのうち一つを選択して撮影することができる撮像装置であって、被写体像を形成する光学系１１と、前記被写体像に基づいて画像データを順次生成する撮像手段１２と、前記画像データに含まれる特徴領域を検出する検出手段１４と、前記画像データに基づく画像を表示する表示手段２０と、前記検出手段１４が前記特徴領域を検出したときに、前記特徴領域又はその近傍に前記選択された撮影モードを示す表示を前記画像データに基づく画像と重畳させて前記表示手段２０に表示させる制御手段と、を備えること、を特徴とする。【選択図】図２
2011097130.tif 000002
【特許請求の範囲】
【請求項１】
複数の撮影モードのうち一つを選択して撮影することができる撮像装置であって、
被写体像を形成する光学系と、
前記被写体像に基づいて画像データを順次生成する撮像手段と、
前記画像データに含まれる特徴領域を検出する検出手段と、
前記画像データに基づく画像を表示する表示手段と、
前記検出手段が前記特徴領域を検出したときに、前記特徴領域又はその近傍に前記選択された撮影モードを示す表示を前記画像データに基づく画像と重畳させて前記表示手段に表示させる制御手段と、
を備えること、
を特徴とする撮像装置。
【請求項２】
複数の撮影モードのうち一つを選択して撮影することができる撮像装置であって、
被写体像を形成する光学系と、
前記被写体像に基づいて画像データを順次生成する撮像手段と、
前記被写体像の一部について前記光学系を合焦駆動する合焦手段と、
前記画像データに基づく画像を表示する表示手段と、
前記合焦手段が合焦駆動を完了したときに、合焦した前記被写体像の一部又はその近傍に前記選択された撮影モードを示す表示を前記画像データに基づく画像と重畳させて前記表示手段に表示させる制御手段と、
を備えること、
を特徴とする撮像装置。
【発明の詳細な説明】
【技術分野】
【０００１】
本発明は、被写体像に含まれる特徴領域又は合焦領域を表示する機能を備えた撮像装置に関する。
【背景技術】
【０００２】
被写体像に含まれる顔を検出する機能を備えた撮像装置が知られている。特許文献１には、被写体像に含まれる顔が検出されると、顔を囲む枠を表示する撮像装置が開示されている。特許文献１に記載の撮像装置は、枠内の画像データに基づいて自動合焦制御と自動露出制御を行う。従って、被写体像に含まれる顔にピントと露出が合った画像データを得ることができる。
【先行技術文献】
【特許文献】
【０００３】
【特許文献１】特開２００５−２８６９４０号公報
【発明の概要】
【発明が解決しようとする課題】
【０００４】
ところで、近時の撮像装置には多くの撮影モードが備えられている。旧来の撮影モードには、自動撮影モード、プログラム撮影モード、絞り優先撮影モード、シャッター優先撮影モード、マニュアル撮影モードがある。これに加えて近時の撮像装置には、多くのシーン別撮影モードが備えられている。シーン別撮影モードとは、設定した撮影環境に合わせて予め準備された撮影パラメータを撮像装置が自動的に設定する撮影モードである。シーン別撮影モードには、例えば、「人物」「風景」「夜景」等がある。近時の撮像装置には、２０から３０ものシーン別撮影モードを備える撮像装置もある。また、使用者の設定した撮影パラメータを記憶することができる撮像装置もある。記憶された撮影パラメータは、撮影モードの一つとして呼び出すことができる。このような機能は、カスタム撮影モード等と呼ばれる。さらに、近時の撮像装置には、撮像装置自身が撮影環境や被写体を認識して自動的にシーン別撮影モードを切り替える撮像装置がある。
【０００５】
従って、使用者が現在選択されている撮影モードが何であるかを認識することは、困難である。そこで、近時の撮像装置は、現在選択されている撮影モードを示すアイコンを撮像装置背面に設けられた液晶モニターの端に表示する。これによって、使用者は、現在選択されている撮影モードが何であるかを認識することができる。
【０００６】
しかし、液晶モニターには、現在選択されている撮影モード以外にも多くの情報が表示される。例えば、バッテリー残量、メモリカードの残り記録可能枚数、フラッシュの発光モード、手振れ補正の動作モード等の情報がアイコンによって表示される。従って、これらのアイコンの中から現在選択されている撮影モードを示すアイコンを見つけることにも困難が伴う。また、撮像装置が撮影モードを自動的に切り替える場合は、現在選択されている撮影モードが何であるかを確認したいという要望も高い。
【０００７】
一方、特許文献１に記載の撮像装置のように被写体像の特徴領域を表示する機能を備えた撮像装置においては、多くの撮影モードの全部又は一部において検出した特徴領域を示す枠を表示することができる。また、被写体像に含まれる合焦領域を表示する機能を備えた撮像装置が従来から知られている。
【０００８】
そこで、本発明は、被写体像に含まれる特徴領域又は合焦領域を表示する機能を備えた撮像装置において、現在選択されている撮影モードを容易に認識することができる撮像装置を提供することを目的とする。
【課題を解決するための手段】
【０００９】
前記課題を解決するために、本発明の撮像装置は、複数の撮影モードのうち一つを選択して撮影することができる撮像装置であって、被写体像を形成する光学系と、前記被写体像に基づいて画像データを順次生成する撮像手段と、前記画像データに含まれる特徴領域を検出する検出手段と、前記画像データに基づく画像を表示する表示手段と、前記検出手段が前記特徴領域を検出したときに、前記特徴領域又はその近傍に前記選択された撮影モードを示す表示を前記画像データに基づく画像と重畳させて前記表示手段に表示させる制御手段と、を備えること、を特徴とする。
【００１０】
これによって、選択された撮影モードを示す表示が、検出された特徴領域又はその近傍に表示されるので、現在選択されている撮影モードを容易に認識することができる。すなわち、従来のように、撮影モードを示すアイコンが表示手段の端にその他の情報を示すアイコンと並列に表示されたのでは現在選択されている表示モードを確認することが困難であるが、特徴領域は使用者が注視する画面中央部に検出される場合が多いし、特徴領域が検出されたときに選択された撮影モードを示す表示が表示されるので、より使用者の注意を引くことができるからである。
【００１１】
また、前記課題を解決するために、本発明の撮像装置は、複数の撮影モードのうち一つを選択して撮影することができる撮像装置であって、被写体像を形成する光学系と、前記被写体像に基づいて画像データを順次生成する撮像手段と、前記被写体像の一部について前記光学系を合焦駆動する合焦手段と、前記画像データに基づく画像を表示する表示手段と、前記合焦手段が合焦駆動を完了したときに、合焦した前記被写体像の一部又はその近傍に前記選択された撮影モードを示す表示を前記画像データに基づく画像と重畳させて前記表示手段に表示させる制御手段と、を備えること、を特徴とする。
【００１２】
これによって、選択された撮影モードを示す表示が、合焦領域又はその近傍に表示されるので、現在選択されている撮影モードを容易に認識することができる。すなわち、従来のように、撮影モードを示すアイコンが表示手段の端にその他の情報を示すアイコンと並列に表示されたのでは現在選択されている表示モードを確認することが困難であるが、合焦領域は使用者が注視する画面中央部に検出される場合が多いし、合焦駆動が完了したときに選択された撮影モードを示す表示が表示されるので、より使用者の注意を引くことができるからである。
【発明の効果】
【００１３】
以上のように、本発明によれば、使用者が注視する画面中央部に選択された撮影モードを示す表示が表示されるので、現在選択されている撮影モードを容易に認識することができるという効果を奏する。
【図面の簡単な説明】
【００１４】
【図１】本実施の形態に係るデジタルカメラ１の斜視図
【図２】本実施の形態に係るデジタルカメラ１の構成を示すブロック図
【図３】液晶モニター２０の表示例を示す図
【図４】撮影モードアイコンと撮影モードの対応を示す図
【図５】オートフォーカスモードアイコンとオートフォーカスモードの対応を示す図
【図６】本発明の実施の形態に係るデジタルカメラ１の動作を示すフローチャート
【図７】液晶モニター２０の表示例を示す図
【図８】本発明の実施の形態に係るデジタルカメラ１の動作を示すフローチャート
【図９】液晶モニター２０の表示例を示す図
【発明を実施するための形態】
【００１５】
（実施の形態）
（１．構成）
図１は、本実施の形態に係るデジタルカメラ１の斜視図である。図２は、本実施の形態に係るデジタルカメラ１の構成を示すブロック図である。以下、具体的に構成を説明する。
【００１６】
光学系１１は、被写体からの光学信号を集光してＣＣＤイメージセンサー１２上に被写体像を形成する。光学系１１は、対物レンズ１１１とズームレンズ１１２とフォーカスレンズ１１３と絞り／シャッター１１４を含む。
【００１７】
ズームレンズ１１２は、ズーム駆動部１１５によって駆動され、焦点距離を調整する。フォーカスレンズ１１３は、フォーカス駆動部１１６によって駆動され、ピントを調整する。ズーム駆動部１１５は、ズームレンズ１１２を移動させるためのアクチュエータ等を備えて構成され、コントローラ１７からの制御に応じてズームレンズ１１２を駆動する。フォーカス駆動部１１６は、フォーカスレンズ１１３を移動させるためのアクチュエータ等を備えて構成され、コントローラ１７からの制御に応じてフォーカスレンズ１１３を駆動する。
【００１８】
絞り／シャッター１１４は、絞りとシャッターを兼用した部材である。絞り／シャッター１１４は、絞り／シャッター駆動部１１７によって駆動される。絞りは、複数枚の羽根によって構成され、光学系１１を通過する光の量を調整する。シャッターは、開けられたり閉じられたりして、ＣＣＤイメージセンサー１２に到達する光の量を時間的に調整する。絞り／シャッター駆動部１１７は、アクチュエータ等を備えて構成され、コントローラ１７からの制御に応じて絞り／シャッター１１４を駆動する。
【００１９】
なお、本実施の形態のデジタルカメラ１では、絞りとシャッターを兼用した絞り／シャッター１１４を備えるようにしたが、これに限らず、絞りとシャッターを別々に設けるようにしてもよい。この場合、シャッターは光学系内に設けず、絞りだけを光学系内に設けてもよい。このようにすれば、本発明をレンズ交換式のデジタルカメラに適用することもできる。
【００２０】
ＣＣＤイメージセンサー１２は、光学系１１によって形成された被写体像を撮像して画像データを生成する。ＣＣＤイメージセンサー１２は、タイミングジェネレータ１２１から供給されるパルス信号に基づいて被写体像を撮像し画像データを生成する。タイミングジェネレータ１２１は、ＬＳＩ等の集積回路によって構成され、ＣＣＤイメージセンサー１２にパルス信号を供給する。ここで、タイミングジェネレータ１２１がＣＣＤイメージセンサー１２に供給するパルス信号には、1秒間に３０回のフレーム読み出しパルス信号が含まれる。これによって、ＣＣＤイメージセンサー１２は、３０分の１秒ごとに画像データを生成する。ＣＣＤイメージセンサー１２によって生成された画像データは、ＡＤコンバータ１３を介して、順次画像処理部１４に入力される。
【００２１】
ＡＤコンバータ１３は、ＣＣＤイメージセンサー１２によって生成された画像データをデジタルデータに変換する。
【００２２】
画像処理部１４は、デジタルデータに変換された画像データに対して所定の処理を施す。所定の処理としては、ガンマ補正、ＹＣ変換、電子ズーム処理、圧縮処理、伸張処理等が考えられるが、これに限定するものではない。なお、画像処理部１４は、所定の処理に加えて、既知の方法によって画像データに含まれる人間の顔を検出する機能も備える。
【００２３】
バッファメモリ１５は、画像処理部１４で画像処理を行う際及びコントローラ１７で制御処理を行う際にワークメモリとして使用される。バッファメモリ１５は、例えば、ＳＤＲＡＭ等で実現することができる。
【００２４】
フラッシュメモリ１６は、内蔵メモリとして使用される。フラッシュメモリ１６は、画像処理された画像データの他に、コントローラ１７の制御のためのプログラムや設定値等を記憶することができる。また、フラッシュメモリ１６は、液晶モニター２０に表示する各種アイコンの画像データを記憶することができる。
【００２５】
コントローラ１７は、デジタルカメラ１全体を制御するための制御手段である。コントローラ１７は、マイクロコンピュータで実現してもよく、ハードワイヤード回路で実現しても良い。コントローラ１７は、画像処理部１４によって所定の処理が施された画像データを液晶モニター２０に表示させる。また、コントローラ１７は、フラッシュメモリ１６に記憶された各種アイコンを画像処理部１４によって所定の処理が施された画像データに重畳させて、又はその周囲に表示させることができる。
【００２６】
ぶれ検出器３０は、ジャイロセンサー等で構成され、自装置の振動を検出する。ぶれ検出器３０は、デジタルカメラ１の上下方向の振動を検知する第１のジャイロセンサーとデジタルカメラ１の左右方向の振動を検知する第２のジャイロセンサーを備える。ぶれ検出器３０は、自装置の振動を検出して、振動量に対応するアナログ信号をコントローラ１７に出力する。その際、ぶれ検出器３０から出力されたアナログ信号は、ＡＤコンバータによってデジタル信号に変換され、コントローラ１７に入力される。
【００２７】
カードスロット１８は、メモリカード１９を着脱するためのスロットである。カードスロット１８は、メモリカード１９を制御する機能を有するようにしてもよい。メモリカード１９は、フラッシュメモリ等を内蔵する。メモリカード１９は、画像処理部１４によって画像処理された画像データを格納することができる。
【００２８】
液晶モニター２０は、画像データ及びデジタルカメラ１の各種設定を示すアイコン等を表示する。なお、液晶モニター２０に替えて、有機ＥＬディスプレイ等を用いることもできる。
【００２９】
操作部２１は、デジタルカメラ１の外装に取り付けられた操作部材の総称である。操作部２１を構成する操作部材としては、十字キーや押下釦等が考えられる。操作部２１の一つの押下釦としてシャッタースイッチ２１１がある。シャッタースイッチ２１１は、デジタルカメラ１の上面に設けられ、半押し及び全押し操作を検出するように構成されている。シャッタースイッチ２１１の半押し又は全押し操作が行なわれると、シャッタースイッチ２１１は操作に応じた操作信号をコントローラ１７に出力する。コントローラ１７は、シャッタースイッチ２１１の半押し操作を示す操作信号を受けると、フォーカス駆動部１１６を制御して、被写体像にピントが合うようにフォーカスレンズ１１３を移動させる。コントローラ１７は、シャッタースイッチ２１１の全押し操作を示す信号を受けると、ＣＣＤイメージセンサー１２によって生成され画像処理部１４によって所定の処理が施された画像データをカードスロット１８に装着されたメモリカード１９に格納する。
【００３０】
また、操作部２１の一つの操作部材としてズームレバー２１２がある。ズームレバー２１２は、シャッタースイッチ２１１の周囲に回転可能に設けられ、回転操作を検出するように構成されている。ズームレバー２１２の回転操作が行われると、ズームレバー２１２は回転操作に応じた操作信号をコントローラ１７に出力する。コントローラ１７は、ズームレバー２１２の回転操作を示す操作信号を受けると、ズーム駆動部１１５を制御して、光学系１１の焦点距離を変化させる。
【００３１】
さらに、操作部２１の一つの操作部材としてモードダイヤル２１３がある。モードダイヤル２１３は、デジタルカメラ１の背面に回転可能に設けられ、回転操作を検出するように構成されている。モードダイヤル２１３の回転操作が行われると、モードダイヤル２１３は回転操作に応じた操作信号をコントローラ１７に出力する。コントローラ１７は、モードダイヤル２１３の回転操作を示す操作信号を受けると、複数の撮影モードから一つの撮影モードを選択し、選択した撮影モードでデジタルカメラ１の各部を制御する。
【００３２】
加えて、操作部２１の一つの押下釦として十字キー２１４がある。十字キー２１４は、デジタルカメラ１の背面に設けられ、押下操作を検出するように構成されている。十字キー２１４の押下操作が行われると、十字キー２１４は押下操作に応じた操作信号をコントローラ１７に出力する。コントローラ１７は、十字キー２１４の押下操作を示す操作信号を受けると、デジタルカメラ１の各部を制御する。
（２．撮影モード）
図３は、液晶モニター２０の表示例を示す図である。図３（ａ）は、画像データに各種アイコンを重畳させて表示した状態を示している。図３（ｂ）は、画像データを表示する領域と各種アイコンを表示する領域を独立とした状態を示している。図３（ｂ）において、各種アイコンは、液晶モニター２０の右辺と底辺に集中的に配置される。しかし、画像データを表示する領域は、図３（ａ）と比べて小さくなる。表示される各種アイコンは、図３（ａ）（ｂ）ともに同じである。十字キー２１４を押下操作することで、図３（ａ）（ｂ）の表示を切り替えることができる。
【００３３】
撮影モードアイコン３０１は、撮影モードが自動撮影モードであることを示している。フラッシュ発光モードアイコン３０２は、フラッシュ発光モードが自動発光モードであることを示している。記録画素数アイコン３０３は、メモリカード１９に格納される画像データの記録画素数が１２００万画素であることを示している。クオリティアイコン３０４は、メモリカード１９に格納される画像データの圧縮率が低い、すなわちクオリティが高いことを示している。バッテリー残量アイコン３０５は、バッテリーがフル充電であることを示している。記録可能枚数アイコン３０６は、現在の設定で撮影を続けたときにメモリカード１９に格納することができる画像データの枚数を示している。手振れ補正モードアイコン３０７は、手振れ補正モードが自動補正モードであることを示している。オートフォーカスモードアイコン３０８は、オートフォーカスモードが１１点オートフォーカスモードであることを示している。１１点オートフォーカスモードでは、１１点のオートフォーカス領域のうち、コントローラ１７が最も適切と判断するオートフォーカス領域に自動的にピントを合わせる。各種アイコンは、それぞれに対応するモードや状態が変化すると変化する。
【００３４】
このように、液晶モニター１２には被写体３０９とともに多くの情報が表示される。また、使用者は被写体３０９の動きを注視している場合が多いと思われるので、各種アイコンの中から撮影モードアイコン３０１を見つけて現在選択されている撮影モードが何であるかを認識することには困難が伴う。
【００３５】
図４は、撮影モードアイコンと撮影モードの対応を示す図である。自動選択撮影モードでは、コントローラ１７が撮影環境や被写体を認識して自動的にシーン別撮影モードを切り替える。コントローラ１７が切り替えるべきシーン別撮影モードを選択するまでは図４に示す自動選択撮影モードアイコンが液晶モニター２０に表示されるが、コントローラ１７が切り替えるべきシーン別撮影モードを選択すると、人物撮影モード、夜景＆人物撮影モード、風景撮影モード、夜景撮影モード、マクロ撮影モード、赤ちゃん撮影モードのうち、コントローラ１７で選択された撮影モードを示す撮影モードアイコンが液晶モニター２０に表示される。また、一旦、切り替えるべきシーン別撮影モードが選択されても、その後、撮影環境や被写体に変化が生じた場合は、再度、切り替えるべきシーン別撮影モードを選択する。なお、切り替えるべきシーン別撮影モードの選択方法は、例えば、国際公開番号ＷＯ２００９／０１３８５０Ａ１号公報等に記載されている。
【００３６】
自動撮影モード、プログラム撮影モード、絞り優先撮影モード、シャッター優先撮影モード、マニュアル撮影モードは、旧来の撮影モードである。
【００３７】
人物撮影モード、夜景＆人物撮影モード、風景撮影モード、夜景撮影モード、マクロ撮影モード、赤ちゃん撮影モードは、シーン別撮影モードである。シーン別撮影モードは自動選択撮影モードにおいて自動的に選択されるが、モードダイヤル２１３を回転操作することによって意図的に選択することもできる。
【００３８】
カスタム撮影モードは、使用者が設定しフラッシュメモリ１６に記憶された撮影パラメータを呼び出し、これに基づいて撮影の制御を行う撮影モードである。
【００３９】
本発明のデジタルカメラ１が備える撮影モードは以上の１３種類であるが、近時の撮像装置には、２０から３０ものシーン別撮影モードを備える撮像装置もある。特に、自動選択撮影モードにおいては、現在選択されている撮影モードが何であるかを確認したいという要望も高い。
（３．オートフォーカスモード）
図５は、オートフォーカスモードアイコンとオートフォーカスモードの対応を示す図である。顔検出オートフォーカスモードでは、コントローラ１７は、画像処理部１４が画像データに含まれる人間の顔を検出すると、フォーカス駆動部１１６を制御して、画像処理部１４が検出した人間の顔にピントが合うようにフォーカスレンズ１１３を移動させる。
【００４０】
１１点オートフォーカスモードでは、コントローラ１７は、シャッタースイッチ２１１の半押し操作を示す操作信号を受けると、フォーカス駆動部１１６を制御して、１１点のオートフォーカス領域のうち、コントローラ１７が最も適切と判断するオートフォーカス領域にピントが合うようにフォーカスレンズ１１３を移動させる。
【００４１】
１点オートフォーカスモードでは、コントローラ１７は、シャッタースイッチ２１１の半押し操作を示す操作信号を受けると、フォーカス駆動部１１６を制御して、液晶モニター２０中央部のオートフォーカス領域にピントが合うようにフォーカスレンズ１１３を移動させる。
【００４２】
スポットオートフォーカスモードでは、コントローラ１７は、シャッタースイッチ２１１の半押し操作を示す操作信号を受けると、フォーカス駆動部１１６を制御して、液晶モニター２０中央部の１点オートフォーカスモードにおけるオートフォーカス領域よりもさらに小さいオートフォーカス領域にピントが合うようにフォーカスレンズ１１３を移動させる。
（４．動作１）
以下、図面を用いて、特徴領域を検出したときに、検出された特徴領域に重畳させて又は検出された特徴領域の近傍に撮影モードを示す表示を表示する実施の形態の動作を説明する。図６は、本発明の実施の形態に係るデジタルカメラ１の動作を示すフローチャートである。本発明の実施の形態に係るデジタルカメラ１では、画像データに含まれる人間の顔を検出したときに、検出された人間の顔を含む領域又は検出された人間の顔を含む領域の近傍に撮影モードを示す撮影モードアイコンを表示する。なお、特徴領域は、人間の顔に限定されない。例えば、特定の色をもつ領域であってもよいし、特定の形状をもつ領域であってもよい。
【００４３】
画像処理部１４は、ＣＣＤイメージセンサー１２によって生成された画像データに人間の顔が含まれるか否かを検出する（Ｓ６０１、Ｓ６０２）。人間の顔が含まれない場合は（Ｓ６０２でＮｏ）、ＣＣＤイメージセンサー１２によって次に生成された画像データに人間の顔が含まれるか否かを検出する。人間の顔が含まれる場合は（Ｓ６０２でＹｅｓ）、画像データに人間の顔が含まれることをコントローラ１７に通知する。
【００４４】
コントローラ１７は、現在の撮影モードを取得する（Ｓ６０３）。次に、取得した現在の撮影モードを示す撮影モードアイコンの画像データをフラッシュメモリ１６から取得する（Ｓ６０４）。撮影モードアイコンの画像データは、液晶モニター２０の端に表示する撮影モードアイコンの画像データを流用する。これによって、フラッシュメモリ１６の容量を削減することができる。
【００４５】
コントローラ１７は、画像処理部１４によって検出された人間の顔を含む領域の位置と大きさを画像処理部１４から取得する（Ｓ６０５）。撮影モードアイコンを、人間の顔を含む領域に重畳させて表示する場合は、コントローラ１７は、画像処理部１４から取得した人間の顔を含む領域の大きさに基づいて、撮影モードアイコンの画像データを加工する（Ｓ６０６）。すなわち、人間の顔を含む領域の大きさに合わせて撮影モードアイコンの画像データを拡大又は縮小する。さらに、撮影モードアイコンの画像データを半透過にする。又は、撮影モードアイコンの一部を透明にする。
【００４６】
コントローラ１７は、画像処理部１４から取得した人間の顔を含む領域の位置に基づいて、加工した、又は加工していない撮影モードアイコンをＣＣＤイメージセンサー１２が生成した画像データに重畳させて液晶モニター２０に表示させる（Ｓ６０７）。図７は、液晶モニター２０の表示例を示す図である。図７（ａ）は、画像データに各種アイコンを重畳させて表示させた状態において、撮影モードアイコンを、人間の顔を含む領域に重畳させて表示させた表示例を示している。自動撮影モードを示す撮影モードアイコン３１０は、拡大及び半透過の加工がされた後に人間の顔を含む領域の一部に重畳されて表示される。図７（ｂ）は、画像データを表示する領域と各種アイコンを表示する領域を独立とした状態において、撮影モードアイコンを、人間の顔を含む領域の近傍に表示させた表示例を示している。自動撮影モードを示す撮影モードアイコン３１１は、特段の加工をされないまま人間の顔を含む領域の近傍に表示される。
【００４７】
なお、自動撮影モードは例示であって、画像処理部１４によって人間の顔が検出されたときの撮影モードを示す撮影モードアイコンが表示されることはいうまでもない。また、撮影モードアイコンを人間の顔に重畳させて表示させる場合は半透過の加工をすることが望ましいが、撮影モードアイコンを人間の顔の近傍に表示する場合であっても、画像データの背景部分を視認することができるように撮影モードアイコンを半透過としてもよい。撮影モードアイコンは、継続して表示させてもよいし、所定の時間が経過すると表示をしないようにしてもよい。撮影モードアイコンを人間の顔の近傍に表示する場合、人間の顔が画像データの端にあるときは、適宜、撮影モードアイコンを表示する場所を変更すればよい。
（５．動作２）
以下、図面を用いて、合焦駆動を完了したときに、合焦した被写体像の一部又はその近傍に撮影モードを示す表示を表示する実施の形態の動作を説明する。図８は、本発明の実施の形態に係るデジタルカメラ１の動作を示すフローチャートである。本発明の実施の形態に係るデジタルカメラ１では、１１点オートフォーカスモードにおいて、１１点のオートフォーカス領域のうち、コントローラ１７が最も適切と判断するオートフォーカス領域に自動的にピントを合わせたときに、ピントを合わせたオートフォーカス領域又はピントを合わせたオートフォーカス領域の近傍に撮影モードを示す撮影モードアイコンを表示する。なお、ここでは、コントローラ１７が最も適切と判断するオートフォーカス領域に自動的にピントを合わせる１１点オートフォーカスモードを例示するが、人間の顔を検出して検出した人間の顔に自動的にピントを合わせる顔検出オートフォーカスモードであってもよい。また、オートフォーカス領域が固定である１点オートフォーカスモード、スポットオートフォーカスモードであってもよい。
【００４８】
画像処理部１４は、ＣＣＤイメージセンサー１２によって生成された画像データを取得しながらシャッタースイッチ２１１が半押しされたか否かを検出する（Ｓ８０１、Ｓ８０２）。シャッタースイッチ２１１が半押しされていない場合は（Ｓ８０２でＮｏ）、ＣＣＤイメージセンサー１２によって次に生成された画像データを取得する。シャッタースイッチ２１１が半押しされた場合は（Ｓ８０２でＹｅｓ）、合焦動作を開始する（Ｓ８０３）。
【００４９】
ここで、合焦動作（Ｓ８０３）には、画像データの継続的な取得とオートフォーカス評価値の評価が含まれる。本実施の形態のデジタルカメラ１は、いわゆるコントラスト方式のオートフォーカス機能を採用している。なお、位相差検出方式等、コントラスト方式以外のオートフォーカス機能を採用する撮像装置であっても本発明を適用することができる。また、マニュアルフォーカスモードであっても、使用者がピントを調整しているときに撮像装置が合焦状態を監視し最も良好な合焦状態であると判断する機能を採用している場合がある。その場合は合焦を検出することができるので、合焦が完了したときに、合焦した被写体像の一部又はその近傍に撮影モードを示す表示を表示することができる。
【００５０】
コントローラ１７は、合焦駆動が完了したか、すなわち合焦したか否かを検出する。合焦していない場合は（Ｓ８０４でＮｏ）、合焦駆動（Ｓ８０３）を繰り返す。合焦している場合は（Ｓ８０４でＹｅｓ）、現在の撮影モードを取得する（Ｓ８０５）。次に、取得した現在の撮影モードを示す撮影モードアイコンの画像データをフラッシュメモリ１６から取得する（Ｓ８０６）。撮影モードアイコンの画像データは、液晶モニター２０の端に表示する撮影モードアイコンの画像データを流用する。これによって、フラッシュメモリ１６の容量を削減することができる。
【００５１】
コントローラ１７は、合焦位置を取得する（Ｓ８０７）。コントローラ１７は、撮影モードアイコンの画像データを加工してもよいし加工しなくてもよい（Ｓ８０８）。コントローラ１７は、合焦位置に基づいて、加工した、又は加工していない撮影モードアイコンをＣＣＤイメージセンサー１２が生成した画像データに重畳させて液晶モニター２０に表示させる（Ｓ８０９）。
【００５２】
図９は、液晶モニター２０の表示例を示す図である。図９（ａ）は、画像データに各種アイコンを重畳させて表示させた状態を示す。風景撮影モードを示す撮影モードアイコン３１４は、コントローラ１７がピントを合わせたオートフォーカス領域（三重塔３１３の一部）に重畳されて表示される。図９（ｂ）は、画像データを表示する領域と各種アイコンを表示する領域を独立とした状態を示す。風景撮影モードを示す撮影モードアイコン３１５は、縮小加工がされた後にコントローラ１７がピントを合わせたオートフォーカス領域（三重塔３１３の一部）に重畳されて表示される。図９（ａ）の左上、図９（ｂ）の右上には風景撮影モードを示すアイコン３１２が表示されるが、その他の情報を示すアイコンと並列に表示されるので、使用者が現在選択されている撮影モードが何であるかを認識することは、困難である。これに対して、撮影モードアイコン３１４、３１５は、コントローラ１７がピントを合わせたオートフォーカス領域（三重塔３１３の一部）に重畳されて表示されるので、現在選択されている撮影モードを容易に認識することができる。図９（ｃ）は、ピントを合わせたオートフォーカス領域が１１点のオートフォーカス領域のうち右下のオートフォーカス領域３１６であることを模式的に示している。図９（ｃ）に示すオートフォーカス領域を示す枠は、画像データに重畳させて表示させてもよいし表示させなくてもよい。
【００５３】
なお、風景撮影モードは例示であって、合焦駆動が完了したときの撮影モードを示す撮影モードアイコンが表示されることはいうまでもない。また、画像データの背景部分を視認することができるように撮影モードアイコンを半透過としてもよい。撮影モードアイコンは、継続して表示させてもよいし、所定の時間が経過すると表示をしないようにしてもよい。
【００５４】
また、合焦していない場合は（Ｓ８０４でＮｏ）、合焦駆動（Ｓ８０３）を繰り返すが、一定時間、合焦駆動（Ｓ８０３）を繰り返したにもかかわらず合焦できない場合もある。そのような場合は、現在の撮影モードを示す撮影モードアイコンに、例えば、×印を重畳させて液晶モニター２０の中央に表示させるようにしてもよい。あるいは、現在の撮影モードを示す撮影モードアイコンが二つに割れた撮影モードアイコンを液晶モニター２０の中央に表示させるようにしてもよい。これによって、いずれの撮影モードで合焦に失敗したかを容易に知ることができる。
【産業上の利用可能性】
【００５５】
本発明によれば、現在選択されている撮影モードを容易に認識することができるので、デジタルカメラ、デジタルビデオカメラ等の撮像装置に適用して有用である。
【符号の説明】
【００５６】
１    デジタルカメラ
１１    光学系
１２    ＣＣＤイメージセンサー
１２１    タイミングジェネレータ
１３    ＡＤコンバータ
１４    画像処理部
１５    バッファメモリ
１６    フラッシュメモリ
１７    コントローラ
２０    液晶モニタ
２１    操作部
【図１】
2011097130.tif 000003
【図２】
2011097130.tif 000004
【図３】
2011097130.tif 000005
【図４】
2011097130.tif 000006
【図５】
2011097130.tif 000007
【図６】
2011097130.tif 000008
【図７】
2011097130.tif 000009
【図８】
2011097130.tif 000010
【図９】
2011097130.tif 000011